(57)【要約】【課題】本発明の目的は、蓋部材によって開閉される開口部に金属製のエッジが剥き出しになっている電子機器において、蓋部材が閉じる過程で、蓋部材が金属製のエッジに接触することを防止することである。【解決手段】本発明の実施の形態に係るデジタルカメラは、格納室１３が形成された本体１と、格納室１３を開閉するための蓋部材２と、蓋部材２を枢支する枢支機構とを具える。本体１と蓋部材２との対向部１４，２２にはカム機構５が配備され、カム機構５は、摺接面５１と、蓋部材２の開閉に伴って摺接面５１上を所定のカム曲線に沿って摺動する摺動部５２とから構成されている。そして、所定のカム曲線は、枢支機構の枢軸９２を中心として規定されると共に、蓋部材２が閉じる過程で蓋部材２を枢軸９２に沿って本体１の対向部１４から遠ざけるように規定されている。【選択図】図４
2010044134.tif 000002
【特許請求の範囲】
【請求項１】
開口部が形成された本体と、該本体の開口部を開閉するための蓋部材と、前記本体の開口部近傍位置に前記蓋部材の基端部を枢支する枢支機構とを具えた電子機器において、
前記本体と前記蓋部材との対向部にはカム機構が配備され、該カム機構は、摺接面と、前記蓋部材の開閉に伴って前記摺接面上を所定のカム曲線に沿って相対的に摺動する摺動部とから構成され、
前記所定のカム曲線は、前記枢支機構の枢軸を中心として規定されると共に、前記蓋部材が閉じる過程で該蓋部材を前記枢支機構の枢軸に沿って何れか一方向に移動させるように規定されていることを特徴とする、電子機器。
【請求項２】
前記本体の開口部は、前記枢支機構側から互いに平行に延びる２本の長辺を有する略矩形の開口を有し、前記２本の長辺のうち何れか一方の長辺は、金属製のエッジによって規定されると共に、他方の長辺は、樹脂製のエッジによって規定されており、
前記所定のカム曲線は、前記蓋部材が閉じる過程で該蓋部材を前記金属製のエッジから徐々に離間させるように規定されている、請求項１に記載の電子機器。
【請求項３】
前記摺接面は、前記枢支機構の枢軸に垂直な平面に対して傾斜し、前記所定のカム曲線は、前記蓋部材が閉じる過程で前記摺動部を枢軸回りに前記摺接面上の高い位置から低い位置に、或いは前記摺接面上の低い位置から高い位置に相対的に移動させるように規定されている、請求項１または請求項２に記載の電子機器。
【発明の詳細な説明】
【技術分野】
【０００１】
本発明は、デジタルカメラなどの電子機器に関し、特に本体に形成された開口部を開閉するための蓋部材が本体に枢支された電子機器に関する。
【背景技術】
【０００２】
従来から、デジタルカメラなどの電子機器は、電池を格納するための格納室（開口部）が設けられた本体と、該格納室を開閉するために該本体に取り付けられた蓋部材とを具える（下掲の特許文献１参照）。本体は、シャーシと、シャーシを覆うキャビネットから構成されており、格納室は、キャビネットの表面に開口している。このため、格納室の開口においてキャビネットのエッジが剥き出しになっていると、蓋部材が閉じる過程で、キャビネットのエッジに蓋部材が接触する虞がある。特にキャビネットが金属製（例えばアルミニウム製）である場合には、キャビネットのエッジとの接触により、蓋部材の損傷や塗装の剥がれ等が生じる。
【０００３】
そこで従来は、キャビネットのエッジを樹脂部材によって覆うことで、蓋部材の損傷や塗装の剥がれを防止していた。
【特許文献１】特開２００８−１４７１１５号公報
【発明の開示】
【発明が解決しようとする課題】
【０００４】
近年の電子機器の小型化及び薄型化に伴い、キャビネットのエッジを覆う樹脂部材の一部を省略する必要が生じてきた。しかし、樹脂部材の一部を省略すると、上述したように、金属製のキャビネットのエッジ（金属製のエッジ）が剥き出しとなり、金属製のエッジに蓋部材が接触し、蓋部材の損傷や塗装の剥がれ等が生じてしまう。
【０００５】
そこで、本発明の目的は、蓋部材によって開閉される開口部に金属製のエッジが剥き出しになっている電子機器において、蓋部材が閉じる過程で、蓋部材が金属製のエッジに接触することを防止することである。
【課題を解決するための手段】
【０００６】
本発明に係る電子機器は、開口部（１３）が形成された本体（１）と、該本体の開口部を開閉するための蓋部材（２）と、前記本体の開口部近傍位置に前記蓋部材の基端部（２１）を枢支する枢支機構（３）とを具える。かかる電子機器において、前記本体と前記蓋部材との対向部（１４，２２）にはカム機構（５）が配備され、該カム機構は、摺接面（５１）と、前記蓋部材の開閉に伴って前記摺接面上を所定のカム曲線に沿って相対的に摺動する摺動部（５２）とから構成されている。そして、前記所定のカム曲線は、前記枢支機構の枢軸（９２）を中心として規定されると共に、前記蓋部材が閉じる過程で該蓋部材を前記枢支機構の枢軸に沿って何れか一方向に移動させるように規定されている。
【０００７】
本発明に係る電子機器によれば、電子機器の小型化及び薄型化といった事情等により、開口部において金属製のエッジ（１２ａ）が剥き出しにならざるを得ない場合であっても、蓋部材が閉じる過程で、金属製のエッジから蓋部材を遠ざけることが可能となる。
【０００８】
上記電子機器の具体的態様において、前記本体（１）の開口部（１３）は、前記枢支機構（３）側から互いに平行に延びる２本の長辺（１３１ａ，１３１ｂ）を有する略矩形の開口（１３１）を有し、前記２本の長辺のうち何れか一方の長辺（１３１ａ）は、金属製のエッジ（１２ａ）によって規定されると共に、他方の長辺（１３１ｂ）は、樹脂製のエッジ（１０ａ）によって規定されている。そして、前記所定のカム曲線は、蓋部材（２）が閉じる過程で該蓋部材を前記金属製のエッジから徐々に離間させるように規定されている。
【０００９】
上記具体的態様によれば、蓋部材が閉じる過程で、蓋部材は金属製のエッジから徐々に遠ざかるので、蓋部材が金属製のエッジ側に傾斜している場合であっても、金属製のエッジとのクリアランスを所定の間隔以上に保ちながら、蓋部材を閉じることができる。
【００１０】
上記電子機器の他の具体的態様において、前記摺接面（５１）は、前記枢支機構（３）の枢軸（９２）に垂直な平面（９３）に対して傾斜し、前記所定のカム曲線は、前記蓋部材（２）が閉じる過程で前記摺動部（５２）を枢軸回りに前記摺接面上の高い位置から低い位置に、或いは前記摺接面上の低い位置から高い位置に相対的に移動させるように規定されている。
【００１１】
上記他の具体的態様によれば、蓋部材が閉じる過程で、蓋部材に設けられている摺動部又は摺接面を、枢軸回りに何れか一方向に移動させることができる。よって、蓋部材が閉じる過程で、蓋部材は、枢軸に沿って該一方向に移動することとなる。
【発明の効果】
【００１２】
本発明に係る電子機器によれば、蓋部材が閉じる過程で、蓋部材が金属製のエッジに接触することを防止することができる。
【発明を実施するための最良の形態】
【００１３】
以下、電子機器であるデジタルカメラに本発明を実施した形態につき、図面に沿って具体的に説明する。
【００１４】
１．デジタルカメラの構造
＜デジタルカメラの概略＞
本発明の実施の形態にかかるデジタルカメラは、図１及び図２に示されるように、本体１、蓋部材２、及び枢支機構３から構成されている。本体１は、樹脂製のシャーシ１０と、シャーシ１０の表面の大部分を覆う金属製のキャビネット１２とによって構成されている。そして、本体１には、レンズなどで構成された撮像機構１１や、デジタルカメラを操作するための操作部（図示せず）が配備されている。また、本体１には、図２に示されるように、デジタルカメラに電源を供給するための充電池や、撮影した画像を記録するためのメモリカードなどを格納するための格納室１３が形成されている。格納室１３内には、格納された充電池６１の脱落を防止すべく、脱落防止機構１３２が設けられている。
【００１５】
本体１の外部から格納室１３への充電池やメモリカードなどの挿入が可能となるように、格納室１３は、図２に示される様に、本体１の底面１ａにおいてキャビネット１２の表面に開口している。尚、図２では、格納室１３の開口を符号１３１によって表わしている。また、格納室１３が開口１３１を有することに鑑みれば、格納室１３は開口部と把握することができる。
【００１６】
格納室１３の開口１３１は次のような形状を有する。すなわち、開口１３１は、図２に示される様に、後述する枢支機構３側から互いに平行に延びる２本の長辺１３１ａ，１３１ｂを有する略矩形を呈する。２本の長辺１３１ａ，１３１ｂのうち一方の長辺１３１ａは、図２の領域Ａの拡大図に示される様に、金属製のキャビネット１２のエッジ（金属製のエッジ）１２ａによって規定されている。すなわち、開口１３１において、金属製のキャビネット１２のエッジ１２ａは剥き出しになっている。
【００１７】
他方の長辺１３１ｂは、図２の領域Ｂの拡大図に示される様に、樹脂製のシャーシ１０のエッジ（樹脂製のエッジ）１０ａによって規定されている。樹脂製のシャーシ１０のうち、樹脂製のエッジ１０ａを形成しているエッジ形成部１０１は、領域Ｂの拡大図に示される様に金属製のエッジ１２ｂを覆っている。尚、金属製のエッジ１２ｂは、開口１３１を介して金属製のエッジ１２ａに対向しているキャビネット１２のエッジである。
【００１８】
よって、開口１３１の長辺１３１ｂ側において、蓋部材２は、金属製のエッジ１２ｂに接触することがない。また、蓋部材２が開口１３１の長辺１３１ｂに接触したとしても、長辺１３１ｂは樹脂製のエッジ１０ａによって規定されているので、蓋部材２の損傷や塗装の剥がれは生じない。
【００１９】
蓋部材２は、図２に示される様に格納室１３を開閉するためのものであり、蓋部材２の基端部２１が、枢支機構３によって格納室１３の近傍位置に枢支されている。枢支機構３は、図３に示される様に、蓋部材２の基端部２１に形成された貫通孔３１と、シャフト３２とから構成されている。貫通孔３１は、蓋部材２の短手方向９１に沿って蓋部材２の基端部２１を貫通している。シャフト３２は、貫通孔３１を貫通し、図２に示される様に格納室１３の近傍位置にて本体１に取り付けられている。
【００２０】
これにより、蓋部材２は、シャフト３２を中心とした回動が自在となり、開いた状態のまま留まることができる開き位置と、格納室１３を閉じる閉じ位置との間を回動することが可能となる。尚、図２では、蓋部材２が開き位置から回動した角度（回動角度）を符号θ１によって表し、蓋部材２が閉じ位置まで回動したときの開き位置からの回動角度を符号θｄによって表している。
【００２１】
蓋部材２には、操作者の意図に反して蓋部材２が開いてしまうことを防止すべく、図１及び図２に示されるように、蓋部材２によって格納室１３を閉じる閉じ位置（図１）で蓋部材２をロックするためのロック機構４が設けられている。
【００２２】
＜カム機構の説明＞
上述したデジタルカメラにおいて、金属製のエッジ１２ａによって規定されている長辺１３１ａ側の位置には、図４に示される様に、本体１と蓋部材２の基端部２１とが対向する対向部１４，２２にカム機構５が配備されている。カム機構５は、対向部１４に形成された摺接面５１と、対向部２２に設けられて摺接面５１上を摺動する摺動部５２とから構成されている。尚、図４では、カム機構５の構成を明確にすべく、対向部１４，２２は、枢支機構３の枢軸９２に沿って互いに遠ざけられた状態で示されている。
【００２３】
具体的には摺接面５１は、図５に示される様に、平坦であると共に、枢支機構３の枢軸９２に垂直な平面９３に対して角度θ２だけ傾斜している。摺動部５２は、図５に示される様に、シャフト３２の周囲において枢支機構３の枢軸９２回りに円弧状に形成されている。より具体的には、開き位置での摺動部５２は、図５に示される様に、枢軸９２回りにおける摺接面５１上の位置のうち、枢軸９２と摺接面５１との交点からの勾配が最も大きくなる位置ｒ１を跨いで、枢軸９２の周囲を、平面９３を基準とした場合の摺接面５１上の低い位置から高い位置に向かって円弧状に延びている。また、閉じ位置での摺動部５２は、図６に示される様に摺接面５１に面接触している。尚、図５乃至図８では、枢軸９２回りについての摺動部５２の両端面を符号５２１ａ，５２１ｂによって表している。
【００２４】
カム機構５の動作について、図６乃至図８を用いて説明する。まず、蓋部材２の開き位置からの閉じ始めにおいては、摺動部５２が枢軸９２回りに少しだけ移動することにより、摺動部５２は、摺接面５１に面接触した状態（図６）から、摺動部５２の外縁５２２が摺接面５１に当接した状態に移行する（図７参照）。このとき、摺動部５２の先端５２３は、枢軸９２に沿う方向において摺接面５１から離間した状態となる。
【００２５】
そして、蓋部材２を閉じていくことによって、図７及び図８に示される様に、摺動部５２が摺接面５１上を摺動すると共に、摺動部５２の外縁５２２と摺接面５１との当接位置Ｃが、図５に示される軌道Ｌに沿って、枢軸９２回りに摺接面５１上の高い位置に向かって移動する。これに伴って、摺動部５２の先端５２３は、枢軸９２に沿う方向において摺接面５１から離間した状態のまま、枢軸９２回りに摺接面５１上の高い位置に向かって移動する。
【００２６】
これにより、摺動部５２の先端５２３は、閉じ位置に配置されていたときの摺接面５１上の位置ｒ０から、枢軸９２に沿って本体１の対向部１４から遠ざかる方向（離間方向）９５へ、距離ｄだけ移動することとなる。すなわち、蓋部材２が閉じる過程で蓋部材２は、枢軸９２に沿って離間方向９５に距離ｄだけ移動することとなる。以下、距離ｄを移動距離という。
【００２７】
図７では、蓋部材２の回動角度θ１が６０°の場合が示されており、このときの移動距離ｄの値を符号ｄ１によって表している。また、図８では、蓋部材２の回動角度θ１が角度θｄ（図２）の場合が示されており、このときの移動距離ｄの値を符号ｄ２によって表している。
【００２８】
蓋部材２の回動角度θ１と移動距離ｄとの関係は、図９に示される様に、カム曲線によって表すことができる。ここで、カム曲線は、カム機構５から得られる出力変位（移動距離ｄ）を、入力変数（回転角度θ１）の関数によって表したものである。尚、図９に示されるカム曲線は、摺接面５１が平坦な斜面であり、かつ回動角度θｄを１２０°とした場合に規定されるものである。
【００２９】
上述したカム機構５によれば、蓋部材２が閉じる過程で、蓋部材２が金属製のエッジ１２ａから徐々に離間していく。これにより、蓋部材２が、図１０に示される様に、金属製のエッジ１２ａによって規定されている長辺１３１ａ側に傾いていて、蓋部材２と本体１との間に幅Δｄの重なりであったとしても、閉じ位置（図８）での移動距離ｄの値ｄ２を幅Δｄ以上にすることによって、蓋部材２が閉じる過程で、金属製のエッジ１２ａとのクリアランスを所定の間隔以上に保ちながら、蓋部材を閉じることができる。その結果、蓋部材２は、蓋部材２が閉じる過程で金属製のエッジ１２ａに接触することがなく、閉じ位置まで移動した蓋部材２は、図１１に示される様に開口１３１内に収まる。
【００３０】
尚、カム機構５において、回動角度θ１と移動距離ｄとの関係がカム曲線によって表されることに鑑みれば、カム機構５は次のように把握することができる。すなわち、カム機構５において、摺動部５２は、蓋部材２の開閉に伴って摺接面５１上を所定のカム曲線に沿って摺動する。そして、所定のカム曲線は、枢支機構３の枢軸９２を中心として規定されると共に、蓋部材２が閉じる過程で蓋部材２を枢支機構３の枢軸９２に沿って離間方向９５に移動させるように規定されている。
【００３１】
また、蓋部材２が閉じる過程で、蓋部材２が金属製のエッジ１２ａから徐々に離間していくことに鑑みれば、所定のカム曲線は、蓋部材２が閉じる過程で蓋部材２を金属製のエッジ１２ａから徐々に離間させるように規定されていると把握することができる。
【００３２】
更には、蓋部材２が閉じる過程で、摺動部５２の先端５２３が、枢軸９２回りに摺接面５１上の低い位置ｒ１から高い位置に移動することに鑑みれば、所定のカム曲線は、蓋部材２が閉じる過程で摺動部５２を、枢軸９２回りに摺接面５１上の低い位置ｒ１から高い位置に相対的に移動させるように規定されていると把握することができる。
【００３３】
２．効果
上述したデジタルカメラによれば、電子機器の小型化及び薄型化といった事情等により、格納室１３において金属製のエッジ１２ａが剥き出しにならざるを得ない場合であっても、蓋部材２が閉じる過程で、金属製のエッジ１２ａから蓋部材２を遠ざけることができる。よって、蓋部材２が閉じる過程で、蓋部材２が金属製のエッジ１２ａに接触することを防止することができ、以って接触による蓋部材２の損傷や塗装の剥がれが防止される。
【００３４】
３．変形例
＜変形例１＞
上述したデジタルカメラでは、本体１に摺接面５１が形成され、蓋部材２に摺動部５２が設けられているが、本体１に摺動部５２を設け、蓋部材２に摺接面５１を形成してもよい。
【００３５】
本変形例に係る形態によれば、蓋部材２の開閉に伴って摺接面５１が枢支機構３の枢軸９２回りに移動することにより、本体１に設けられた摺動部５２は、摺接面５１上を相対的に摺動する。これにより、蓋部材２に形成された摺接面５１は、枢支機構３の枢軸９２に沿って離間方向９５（図４）に移動することとなる。よって、本変形例に係る形態においても、上述した形態と同様に、蓋部材２を金属製のエッジ１２ａから徐々に遠ざけることができる。
【００３６】
＜変形例２＞
上述したデジタルカメラでは、金属製のエッジ１２ａによって規定されている長辺１３１ａ側の位置にて、カム機構５が配備されているが、樹脂製のエッジ１０ａによって規定されている長辺１３１ｂ側の位置にて、カム機構５を配備してもよい。
【００３７】
この場合、蓋部材２が閉じる過程で摺動部５２を、枢軸９２回りに摺接面５１上の高い位置から低い位置に移動させるように、所定のカム曲線は規定される。これにより、本変形例に係る形態においても、上述した形態と同様に、蓋部材２を金属製のエッジ１２ａから徐々に遠ざけることができる。
【００３８】
＜変形例３＞
上述したデジタルカメラでは、図５に示される様に、摺接面５１を、枢支機構３の枢軸９２に垂直な平面に対して角度θ２だけ傾斜した平坦な斜面（図５）によって構成し、摺動部５を、閉じ位置において摺接面５１に面接触する形状としていたが、摺接面５１及び摺動部５２の形状は、これに限れられるものではない。すなわち、蓋部材２が閉じる過程で、蓋部材２を枢支機構３の枢軸９２に沿って離間方向９５（図４）に移動させることができる形状であれば、種々のものを摺接面５１及び摺動部５の形状として採用することができる。
【００３９】
尚、本発明の各部構成は上記実施の形態に限らず、特許請求の範囲に記載の技術的範囲内で種々の変形が可能である。例えば、上述した技術は、デジタルカメラに限らず、ビデオカメラや携帯電話機など種々の電子機器に適用することができる。
【図面の簡単な説明】
【００４０】
【図１】本発明の実施の形態に係るデジタルカメラを上下逆転させて示した斜視図である。
【図２】蓋部材が開かれたデジタルカメラを上下逆転させて示した斜視図である。
【図３】蓋部材を枢支機構側から見た斜視図である。
【図４】デジタルカメラの要部（カム機構）を示す拡大斜視図である。
【図５】カム機構の構成を説明する斜視図である。
【図６】格納室側から見たときのカム機構の第１動作状態を示した図である。
【図７】格納室側から見たときのカム機構の第２動作状態を示した図である。
【図８】格納室側から見たときのカム機構の第３動作状態を示した図である。
【図９】カム機構のカム曲線を示した図である。
【図１０】開き位置にある蓋部材を格納室側から見た図である。
【図１１】閉じ位置にある蓋部材を格納室側から見た図である。
【符号の説明】
【００４１】
１  本体
１０  樹脂製のシャーシ
１０ａ  樹脂製のエッジ
１２  金属製のキャビネット
１２ａ  金属製のエッジ
１３  格納室（開口部）
１３１  開口
１３１ａ  金属製のエッジによって規定された長辺
１３１ｂ  樹脂製のエッジによって規定された長辺
１４  対向部
２  蓋部材
２１  基端部
２２  対向部
３  枢支機構
３１  貫通孔
３２  シャフト
９２  枢軸
９３  枢軸に垂直な平面
５  カム機構
５１  摺接面
５２  摺動部
【図１】
2010044134.tif 000003
【図２】
2010044134.tif 000004
【図３】
2010044134.tif 000005
【図４】
2010044134.tif 000006
【図５】
2010044134.tif 000007
【図６】
2010044134.tif 000008
【図７】
2010044134.tif 000009
【図８】
2010044134.tif 000010
【図９】
2010044134.tif 000011
【図１０】
2010044134.tif 000012
【図１１】
2010044134.tif 000013